【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のメッセージを送信するステップであって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、ステップと、
前記第1のメッセージに応答して前記第1の継続時間中に前記複数のワイヤレスデバイスのうちの少なくとも1つのワイヤレスデバイスから第2のメッセージを受信するステップであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、ステップと、
前記第1の継続時間または前記第2の継続時間以内に前記共有周波数スペクトル帯域のうちの前記部分帯域上で前記少なくとも1つのワイヤレスデバイスからアップリンクデータを受信するステップと
を含む、方法。
【請求項２】
前記第1の継続時間または前記第2の継続時間中に前記少なくとも1つのワイヤレスデバイスにトリガフレームを送信するステップであって、前記トリガフレームは、前記共有周波数スペクトル帯域のうちの前記部分帯域上で前記アップリンクデータを送信するように前記少なくとも1つのワイヤレスデバイスに指示する、ステップをさらに含む、請求項1に記載の方法。
【請求項３】
前記少なくとも1つのワイヤレスデバイスからの前記第2のメッセージの受信に少なくとも部分的に基づいて、前記少なくとも1つのワイヤレスデバイスにアップリンクリソースを割り振るステップをさらに含む、請求項1に記載の方法。
【請求項４】
前記第1のメッセージを前記送信するステップは、前記共有周波数スペクトル帯域のうちの前記部分帯域上でスクランブラシードインデックスを送信するステップを含む、請求項1に記載の方法。
【請求項５】
前記第2のメッセージを前記受信するステップは、前記スクランブラシードインデックスに少なくとも部分的に基づいて、前記少なくとも1つのワイヤレスデバイスと関連付けられた事前に割り当てられたスクランブラシードを受信するステップを含み、前記方法が、前記受信され事前に割り当てられたスクランブラシードに少なくとも部分的に基づいて前記少なくとも1つのワイヤレスデバイスを識別するステップをさらに含む、請求項4に記載の方法。
【請求項６】
前記第1のメッセージを前記送信するステップは、前記共有周波数スペクトル帯域のうちの前記部分帯域上でアップリンクリソースユニットインデックスを送信するステップを含む、請求項1に記載の方法。
【請求項７】
前記第2のメッセージは、前記アップリンクリソースユニットインデックスに少なくとも部分的に基づく周波数分割多重化メッセージであり、前記方法が、前記少なくとも1つのワイヤレスデバイスと関連付けられたアップリンクリソースの監視に少なくとも部分的に基づいて前記少なくとも1つのワイヤレスデバイスを識別するステップをさらに含む、請求項6に記載の方法。
【請求項８】
前記第1のメッセージを前記送信するステップは、前記共有周波数スペクトル帯域のうちの第1の部分帯域を介してアップリンクチャネルインデックスを送信するステップを含み、
前記第2のメッセージを前記受信するステップは、前記アップリンクチャネルインデックスに少なくとも部分的に基づいて前記共有周波数スペクトル帯域のうちの第2の部分帯域上で前記第2のメッセージを受信するステップを含み、前記方法が、前記共有周波数スペクトル帯域のうちの前記第2の部分帯域の監視に少なくとも部分的に基づいて前記少なくとも1つのワイヤレスデバイスを識別するステップをさらに含む、
請求項1に記載の方法。
【請求項９】
前記第1のメッセージまたは前記第2のメッセージの一方または両方が、前記第1の継続時間または前記第2の継続時間をそれぞれ示す物理層(PHY)継続時間フィールドを含む、請求項1に記載の方法。
【請求項１０】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項1に記載の方法。
【請求項１１】
前記第1のメッセージは前記複数のワイヤレスデバイスにアドレス指定され、前記トリガフレームは、それぞれ第2のメッセージが受信された前記複数のワイヤレスデバイスのうちの識別されたサブセットにアドレス指定される、請求項2に記載の方法。
【請求項１２】
前記ワイヤレスデバイスの識別されたサブセットにマルチユーザ(MU)アップリンク送信についてのアップリンクリソースを割り振るステップをさらに含む、請求項11に記載の方法。
【請求項１３】
前記第1のメッセージがトリガフレームを含み、前記トリガフレームが媒体アクセス制御(MAC)トリガフレームまたは物理層(PHY)トリガフレームを含む、請求項1に記載の方法。
【請求項１４】
前記MACトリガフレームは、前記第1の継続時間を示すネットワーク割振りベクトル(NAV)フィールドを含む、請求項13に記載の方法。
【請求項１５】
前記PHYトリガフレームは、前記第1の継続時間を示す高効率信号フィールド(HE-SIG)または複製レガシー信号フィールド(L-SIG)を含む送信機会(TXOP)フィールドを含む、請求項13に記載の方法。
【請求項１６】
前記第1のメッセージがマルチユーザ(MU)送信要求(RTS)フレームを含み、前記少なくとも1つの受信されたそれぞれの第2のメッセージが送信可(CTS)フレームを含む、請求項1に記載の方法。
【請求項１７】
ワイヤレス通信の方法であって、
第2のワイヤレスデバイスから第1のワイヤレスデバイスによって、1つまたは複数のワイヤレスデバイスにアドレス指定された第1のメッセージを受信するステップであって、前記1つまたは複数のワイヤレスデバイスが前記第1のワイヤレスデバイスを含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、ステップと、
前記第1のメッセージに応答して前記第1の継続時間中に第2のメッセージを送信するステップであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、ステップと、
前記第1の継続時間または前記第2の継続時間以内に前記共有周波数スペクトル帯域のうちの前記部分帯域上で前記第2のワイヤレスデバイスにアップリンクデータを送信するステップと
を含む、方法。
【請求項１８】
前記第1の継続時間または前記第2の継続時間中に前記第2のワイヤレスデバイスからトリガフレームを受信するステップであって、前記トリガフレームが、前記共有周波数スペクトル帯域のうちの前記部分帯域上でアップリンクデータを送信するように前記第1のワイヤレスデバイスに指示する、ステップをさらに含む、請求項17に記載の方法。
【請求項１９】
前記第2のワイヤレスデバイスへの前記第2のメッセージの送信に少なくとも部分的に基づいて前記第2のワイヤレスデバイスからアップリンクリソース割振りを受信するステップをさらに含む、請求項17に記載の方法。
【請求項２０】
前記第1のメッセージを前記受信するステップは、前記共有周波数スペクトル帯域のうちの前記部分帯域上でスクランブラシードインデックスを受信するステップを含む、請求項17に記載の方法。
【請求項２１】
前記第2のメッセージを前記送信するステップは、前記スクランブラシードインデックスに少なくとも部分的に基づいて前記共有周波数スペクトル帯域のうちの前記部分帯域上で前記第1のワイヤレスデバイスと関連付けられた事前に割り当てられたスクランブラシードを送信するステップを含む、請求項20に記載の方法。
【請求項２２】
前記第1のメッセージを前記受信するステップは、前記共有周波数スペクトル帯域のうちの前記部分帯域上でアップリンクリソースユニットインデックスを受信するステップを含む、請求項17に記載の方法。
【請求項２３】
前記第1のメッセージまたは前記第2のメッセージの一方または両方が、前記第1の継続時間または前記第2の継続時間をそれぞれ示す物理層(PHY)継続時間フィールドを含む、請求項17に記載の方法。
【請求項２４】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項17に記載の方法。
【請求項２５】
ワイヤレス通信のための装置であって、
第1のメッセージを送信するための送信機であって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、送信機と、
前記第1のメッセージに応答して前記第1の継続時間中に前記複数のワイヤレスデバイスのうちの少なくとも1つのワイヤレスデバイスから第2のメッセージを受信するためのチャネルモニタであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、チャネルモニタと、
前記第1の継続時間または前記第2の継続時間以内に前記共有周波数スペクトル帯域のうちの前記部分帯域上で前記少なくとも1つのワイヤレスデバイスからアップリンクデータを受信するための受信機と
を備える、装置。
【請求項２６】
前記送信機は、前記第1の継続時間または前記第2の継続時間中に前記少なくとも1つのワイヤレスデバイスにトリガフレームをさらに送信し、前記トリガフレームは、前記共有周波数スペクトル帯域のうちの前記部分帯域上で前記アップリンクデータを送信するように前記少なくとも1つのワイヤレスデバイスに指示する、請求項25に記載の装置。
【請求項２７】
前記少なくとも1つのワイヤレスデバイスからの前記第2のメッセージの受信に少なくとも部分的に基づいて、前記少なくとも1つのワイヤレスデバイスにアップリンクリソースを割り振るためのリソースアロケータをさらに備える、請求項25に記載の装置。
【請求項２８】
前記送信機は、前記共有周波数スペクトル帯域のうちの前記部分帯域上でスクランブラシードインデックスを送信するようにさらに構成される、請求項25に記載の装置。
【請求項２９】
前記チャネルモニタは、前記スクランブラシードインデックスに少なくとも部分的に基づいて、前記少なくとも1つのワイヤレスデバイスと関連付けられた事前に割り当てられたスクランブラシードを受信するようにさらに構成され、前記装置が、前記受信され事前に割り当てられたスクランブラシードに少なくとも部分的に基づいて前記少なくとも1つのワイヤレスデバイスを識別するためのデバイス識別子をさらに含む、請求項28に記載の装置。
【請求項３０】
前記第1のメッセージを前記送信することが、前記共有周波数スペクトル帯域のうちの前記部分帯域上でアップリンクリソースユニットインデックスを送信することを含む、請求項25に記載の装置。
【請求項３１】
前記第2のメッセージは、前記アップリンクリソースユニットインデックスに少なくとも部分的に基づく周波数分割多重化メッセージであり、前記装置が、前記少なくとも1つのワイヤレスデバイスと関連付けられたアップリンクリソースの監視に少なくとも部分的に基づいて前記少なくとも1つのワイヤレスデバイスを識別するためのデバイス識別子をさらに含む、請求項30に記載の装置。
【請求項３２】
前記第1のメッセージを前記送信することが、前記共有周波数スペクトル帯域のうちの第1の部分帯域を介してアップリンクチャネルインデックスを送信することを含み、
前記第2のメッセージを前記受信することが、前記アップリンクチャネルインデックスに少なくとも部分的に基づいて前記共有周波数スペクトル帯域のうちの第2の部分帯域上で前記第2のメッセージを受信することを含み、前記装置が、前記共有周波数スペクトル帯域のうちの前記第2の部分帯域の監視に少なくとも部分的に基づいて前記少なくとも1つのワイヤレスデバイスを識別するためのデバイス識別子をさらに含む、
請求項25に記載の装置。
【請求項３３】
前記第1のメッセージまたは前記第2のメッセージの一方または両方が、前記第1の継続時間または前記第2の継続時間をそれぞれ示す物理層(PHY)継続時間フィールドを含む、請求項25に記載の装置。
【請求項３４】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項25に記載の装置。
【請求項３５】
前記第1のメッセージは前記複数のワイヤレスデバイスにアドレス指定され、前記トリガフレームは、それぞれ第2のメッセージが受信された前記複数のワイヤレスデバイスのうちの識別されたサブセットにアドレス指定される、請求項26に記載の装置。
【請求項３６】
ワイヤレス通信のための装置であって、
第2のワイヤレスデバイスから、前記装置を含む1つまたは複数のワイヤレスデバイスにアドレス指定された第1のメッセージを受信するための受信機であって、前記1つまたは複数のワイヤレスデバイスが前記装置を含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、受信機と、
前記第1のメッセージに応答して前記第1の継続時間中に第2のメッセージを送信するためのマルチユーザ(MU)制御ユニットであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、MU制御ユニットと、
前記第1の継続時間または前記第2の継続時間以内に前記共有周波数スペクトル帯域のうちの前記部分帯域上で前記第2のワイヤレスデバイスにアップリンクデータを送信するための送信機と
を備える、装置。
【請求項３７】
前記受信機は、前記第1の継続時間または前記第2の継続時間中に前記第2のワイヤレスデバイスからトリガフレームを受信するようにさらに構成され、前記トリガフレームが、前記共有周波数スペクトル帯域のうちの前記部分帯域上でアップリンクデータを送信するように前記装置に指示する、請求項36に記載の装置。
【請求項３８】
前記MU制御ユニットは、前記第2のワイヤレスデバイスへの前記第2のメッセージの送信に少なくとも部分的に基づいて前記第2のワイヤレスデバイスからアップリンクリソース割振りを受信するようにさらに構成される、請求項36に記載の装置。
【請求項３９】
前記第1のメッセージを前記受信することは、前記共有周波数スペクトル帯域のうちの前記部分帯域上でスクランブラシードインデックスを受信することを含む、請求項36に記載の装置。
【請求項４０】
前記第2のメッセージを前記送信することは、前記スクランブラシードインデックスに少なくとも部分的に基づいて前記共有周波数スペクトル帯域のうちの前記部分帯域上で、前記装置と関連付けられた事前に割り当てられたスクランブラシードを送信することを含む、請求項39に記載の装置。
【請求項４１】
前記第1のメッセージを前記受信することは、前記共有周波数スペクトル帯域のうちの前記部分帯域上でアップリンクリソースユニットインデックスを受信することを含む、請求項36に記載の装置。
【請求項４２】
前記第1のメッセージまたは前記第2のメッセージの一方または両方が、前記第1の継続時間または前記第2の継続時間をそれぞれ示す物理層(PHY)継続時間フィールドを含む、請求項36に記載の装置。
【請求項４３】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項36に記載の装置。
【請求項４４】
ワイヤレス通信のための装置であって、
プロセッサと、
前記プロセッサと電子的に通信しているメモリと、
前記メモリに記憶された命令であって、前記プロセッサによって実行されると、前記装置に、
第1のメッセージを送信することであって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、送信することと、
前記第1のメッセージに応答して前記第1の継続時間中に前記複数のワイヤレスデバイスのうちの少なくとも1つのワイヤレスデバイスから第2のメッセージを受信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、受信することと、
前記第1の継続時間または前記第2の継続時間以内に前記共有周波数スペクトル帯域のうちの前記部分帯域上で前記少なくとも1つのワイヤレスデバイスからアップリンクデータを受信することと
を行わせるように動作可能である、命令と
を備える、装置。
【請求項４５】
前記命令が、前記装置に、
前記第1の継続時間または前記第2の継続時間中に前記少なくとも1つのワイヤレスデバイスにトリガフレームを送信することであって、前記トリガフレームは、前記共有周波数スペクトル帯域のうちの前記部分帯域上で前記アップリンクデータを送信するように前記少なくとも1つのワイヤレスデバイスに指示する、送信すること
を行わせるように動作可能である、請求項44に記載の装置。
【請求項４６】
前記命令が、前記装置に、
前記少なくとも1つのワイヤレスデバイスからの前記第2のメッセージの受信に少なくとも部分的に基づいて、前記少なくとも1つのワイヤレスデバイスにアップリンクリソースを割り振ること
を行わせるように動作可能である、請求項44に記載の装置。
【請求項４７】
前記第1のメッセージを前記送信することは、前記共有周波数スペクトル帯域のうちの前記部分帯域上でスクランブラシードインデックスを送信することを含む、請求項44に記載の装置。
【請求項４８】
前記第2のメッセージを前記受信することは、前記スクランブラシードインデックスに少なくとも部分的に基づいて、前記少なくとも1つのワイヤレスデバイスと関連付けられた事前に割り当てられたスクランブラシードを受信することを含み、前記命令が、前記装置に、前記受信され事前に割り当てられたスクランブラシードに少なくとも部分的に基づいて前記少なくとも1つのワイヤレスデバイスを識別することを行わせるように動作可能である、請求項47に記載の装置。
【請求項４９】
前記第1のメッセージを前記送信することが、前記共有周波数スペクトル帯域のうちの前記部分帯域上でアップリンクリソースユニットインデックスを送信することを含む、請求項44に記載の装置。
【請求項５０】
前記第2のメッセージは、前記アップリンクリソースユニットインデックスに少なくとも部分的に基づく周波数分割多重化メッセージであり、前記命令が、前記装置に、前記ワイヤレスデバイスと関連付けられたアップリンクリソースの監視に少なくとも部分的に基づいて前記少なくとも1つのワイヤレスデバイスを識別することを行わせるように動作可能である、請求項49に記載の装置。
【請求項５１】
前記第1のメッセージを前記送信することが、前記共有周波数スペクトル帯域のうちの第1の部分帯域を介してアップリンクチャネルインデックスを送信することを含み、
前記第2のメッセージを前記受信することが、前記アップリンクチャネルインデックスに少なくとも部分的に基づいて前記共有周波数スペクトル帯域のうちの第2の部分帯域上で前記第2のメッセージを受信することを含み、
前記命令が、前記装置に、前記共有周波数スペクトル帯域のうちの前記第2の部分帯域の監視に少なくとも部分的に基づいて前記少なくとも1つのワイヤレスデバイスを識別することを行わせるように動作可能である、
請求項44に記載の装置。
【請求項５２】
前記第1のメッセージがマルチユーザ(MU)送信要求(RTS)フレームを含み、前記少なくとも1つの受信されたそれぞれの第2のメッセージが送信可(CTS)フレームを含む、請求項44に記載の装置。
【請求項５３】
前記第1のメッセージまたは前記第2のメッセージの一方または両方が、前記第1の継続時間または前記第2の継続時間をそれぞれ示す物理層(PHY)継続時間フィールドを含む、請求項44に記載の装置。
【請求項５４】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項44に記載の装置。
【請求項５５】
前記第1のメッセージは前記複数のワイヤレスデバイスにアドレス指定され、前記トリガフレームは、それぞれ第2のメッセージが受信された前記複数のワイヤレスデバイスのうちの識別されたサブセットにアドレス指定される、請求項45に記載の装置。
【請求項５６】
ワイヤレス通信のための装置であって、
プロセッサと、
前記プロセッサと電子的に通信しているメモリと、
前記メモリに記憶された命令であって、前記プロセッサによって実行されると、前記装置に、
第2のワイヤレスデバイスから、前記装置を含む1つまたは複数のワイヤレスデバイスにアドレス指定された第1のメッセージを受信することであって、前記1つまたは複数のワイヤレスデバイスが前記装置を含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、受信することと、
前記第1のメッセージに応答して前記第1の継続時間中に第2のメッセージを送信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、送信することと、
前記第1の継続時間または前記第2の継続時間以内に前記共有周波数スペクトル帯域のうちの前記部分帯域上で前記第2のワイヤレスデバイスにアップリンクデータを送信することと
を行わせるように動作可能である、命令と
を備える、装置。
【請求項５７】
前記命令が、前記装置に、
前記第1の継続時間または前記第2の継続時間中に前記第2のワイヤレスデバイスからトリガフレームを受信することであって、前記トリガフレームが、前記共有周波数スペクトル帯域のうちの前記部分帯域上でアップリンクデータを送信するように前記装置に指示する、受信すること
を行わせるように動作可能である、請求項56に記載の装置。
【請求項５８】
前記命令が、前記装置に、
前記第2のワイヤレスデバイスへの前記第2のメッセージの送信に少なくとも部分的に基づいて前記第2のワイヤレスデバイスからアップリンクリソース割振りを受信すること
を行わせるように動作可能である、請求項56に記載の装置。
【請求項５９】
前記第1のメッセージがスクランブラシードインデックスを含む、請求項56に記載の装置。
【請求項６０】
前記第2のメッセージが、前記スクランブラシードインデックスに少なくとも部分的に基づく、前記装置に関連付けられた、事前に割り当てられたスクランブラシードを含む、請求項59に記載の装置。
【請求項６１】
前記第1のメッセージがアップリンクリソースユニットインデックスを含む、請求項56に記載の装置。
【請求項６２】
前記第1のメッセージまたは前記第2のメッセージの一方または両方が、前記第1の継続時間または前記第2の継続時間をそれぞれ示す物理層(PHY)継続時間フィールドを含む、請求項56に記載の装置。
【請求項６３】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項56に記載の装置。
【請求項６４】
ワイヤレス通信のためのコードを記憶する非一時的コンピュータ可読記憶媒体であって、前記コードが、
第1のメッセージを送信することであって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、送信することと、
前記第1のメッセージに応答して前記第1の継続時間中に前記複数のワイヤレスデバイスのうちの少なくとも1つのワイヤレスデバイスから第2のメッセージを受信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、受信することと、
前記第1の継続時間または前記第2の継続時間以内に前記共有周波数スペクトル帯域のうちの前記部分帯域上で前記少なくとも1つのワイヤレスデバイスからアップリンクデータを受信することと
を行うように実行可能な命令を含む、非一時的コンピュータ可読記憶媒体。
【請求項６５】
ワイヤレス通信のためのコードを記憶する非一時的コンピュータ可読記憶媒体であって、前記コードが、
第2のワイヤレスデバイスから第1のワイヤレスデバイスによって、1つまたは複数のワイヤレスデバイスにアドレス指定された第1のメッセージを受信することであって、前記1つまたは複数のワイヤレスデバイスが前記第1のワイヤレスデバイスを含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、受信することと、
前記第1のメッセージに応答して前記第1の継続時間中に第2のメッセージを送信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、送信することと、
前記第1の継続時間または前記第2の継続時間以内に前記共有周波数スペクトル帯域のうちの前記部分帯域上で前記第2のワイヤレスデバイスにアップリンクデータを送信することと
を行うように実行可能な命令を含む、非一時的コンピュータ可読記憶媒体。
【請求項６６】
前記アップリンクデータの受信に応答して、前記第1の継続時間または前記第2の継続時間以内に前記少なくとも1つのワイヤレスデバイスに前記アップリンクデータの肯定応答を示す少なくとも1つの肯定応答メッセージを送信するステップをさらに含む、請求項1に記載の方法。
【請求項６７】
前記送信機は、前記アップリンクデータの受信に応答して、前記第1の継続時間または前記第2の継続時間以内に前記少なくとも1つのワイヤレスデバイスに前記アップリンクデータの肯定応答を示す少なくとも1つの肯定応答メッセージを送信するようにさらに構成される、請求項25に記載の装置。
【請求項６８】
前記命令が、前記プロセッサによって実行されたとき、前記装置に、前記アップリンクデータの受信に応答して、前記第1の継続時間または前記第2の継続時間以内に前記少なくとも1つのワイヤレスデバイスに前記アップリンクデータの肯定応答を示す少なくとも1つの肯定応答メッセージを送信させるようにさらに動作可能である、請求項44に記載の装置。